(57)【特許請求の範囲】
【請求項１】
光コネクタのフェルール端面及びスリーブの内壁を清掃するための綿棒型光コネクタ清掃具を、フェルールが装着されたスリーブ内まで導くための光コネクタ清掃具のガイド治具であって、内側に該光コネクタ清掃具の清掃機能を有する部分を貫通できる貫通穴を有し、該貫通穴は入口側（該光コネクタ清掃具を挿入する側）において対応するアダプタ又はレセプタクルの穴径より穴径が大きく、テーパ構造又は段付き構造により内径を絞り込み、出口側（該入口と反対側）では、該貫通穴に対応するスリーブホルダの先端を挿入できる内径を有し、かつ該対応するアダプタ又はレセプタクルの内側に装着できる外径を有することを特徴とする該光コネクタ清掃具のガイド治具。
【請求項２】
該貫通穴の内径最小部分が、入口側と出口側の中間にあることを特徴とする請求項１記載の該光コネクタ清掃具のガイド治具。
【請求項３】
該出口側において、該対応するアダプタ又はレセプタクルの係止片にワンタッチで装着できる係止構造を外周部に有することを特徴とする請求項１記載の該光コネクタ清掃具のガイド治具。
【発明の詳細な説明】
【０００１】
【発明の属する技術分野】
本発明は、光コネクタの清掃技術に関する。詳しくは、光コネクタのフェルール端面及び、スリーブの内壁を清掃するための綿棒型清掃具を、フェルールが装着されたスリーブ内に導くためのガイド冶具に関する。
【０００２】
【従来の技術】
光コネクタの清掃技術の分野では、光コネクタのフェルール端面に付着した油脂や塵埃を単純な作業工程で完全に清掃することが重要である。
【０００３】
この目的のために、アダプタ（光コネクタプラグ間の接続に使用）又はレセプタクル（光コネクタプラグと装置間の接続に使用）に装着された光コネクタプラグのフェルール端面の清掃には、作業者が綿棒型清掃具をアダプタ等の正面から、これらアダプタ内のスリーブ内に挿入されたフェルールの端面をめがけて挿入して、フェルールの端面に清掃具が接触したところで綿棒を押しつけながら回転して清掃するという手法が採用されていた。
【０００４】
しかしながら、この手法では、アダプタの実装位置などが作業者の目線より高すぎたり、低すぎたりした場合、綿棒型清掃具をアダプタに挿入しようとしても、フェルールが挿入されているスリーブの内穴径が小さいため、位置決めが難しく、アダプタ中のスリーブ以外の所に清掃具が入り込んでしまうことがある。このような一度スリーブへの挿入を失敗した綿棒型清掃具には塵や汚れが付着し、これを用いて清掃すれば、かえってフェルール端面を汚してしまうことになり、光コネクタの清掃に関し十分とは言えない。
【０００５】
【発明が解決しようとする課題】
本発明の主な目的は、綿棒型光コネクタ清掃具の清掃面を、光コネクタのフェルール端面まで清浄な状態で確実に導く手段を提供することにある。
【０００６】
【課題を解決するための手段】
前記課題を解決するために、本発明による光コネクタ清掃具のガイド治具は、光コネクタのフェルール端面及びスリーブの内壁を清掃するための綿棒型光コネクタ清掃具を、フェルールが装着されたスリーブ内まで導くための光コネクタ清掃具のガイド治具であって、内側に該光コネクタ清掃具の清掃機能を有する部分を貫通できる貫通穴を有し、該貫通穴は入口側（該光コネクタ清掃具を挿入する側）において、穴径が対応するアダプタ又はレセプタクルの穴径より大きく、テーパ構造又は段付き構造により内径を絞り込み、出口側（該入口と反対側）では、該貫通穴に対応するスリーブホルダの先端を挿入できる内径を有し、かつ該対応するアダプタ又はレセプタクルの内側に装着できる外径を有することを特徴とする。
【０００７】
貫通穴を入口側で大きくし、テーパ構造等により綿棒型清掃具の清掃機能を有する清掃面はフェルール端面まであらかじめ清掃された本ガイド治具の内壁に沿って挿入され、スリーブ内に導かれる構造になっているので、綿棒型清掃具を清浄な状態でスリーブ内に導くことができ、かつ、綿棒型清掃具を本ガイド治具に挿入する際の位置決めを入口側の広い穴径の範囲で行うことができ、スリーブ内に確実に挿入することが可能になる。
【０００８】
また、該貫通穴の内径最小部分が、入口側と出口側の中間にあることを特徴とする。綿棒型清掃具が本ガイド治具の内側穴に接触する面積を極力小さくし、綿棒型清掃具の清掃機能を有する部分をより清浄な状態で、スリーブ内に導くことができる。
【０００９】
さらに、該出口側において、該対応するアダプタ又はレセプタクルの係止片にワンタッチで装着できる係止構造を外周部に有することを特徴とする。係止構造を有することにより、ワンタッチで着脱できる。
【００１０】
【発明の実施の形態】
図１に本発明の一実施形態としての光コネクタ清掃具のガイド治具の断面構造を示す。図において、1はフェルールで、図示しないコネクタプラグに装着されている。2はスリーブで、２個の光コネクタプラグに装着されたフェルールを挿入し、その中心軸を合わせるために使用され、通常は割スリーブが用いられる。3はスリーブを保護するスリーブホルダ、4は２個の光コネクタプラグ（正確には光コネクタプラグに保持された光ファイバを）を光接続するアダプタである。5は光コネクタのフェルール１端面及び、スリーブ３の内壁を清掃するための綿棒型清掃具で、先端の太い部分が清掃機能を有する部分である。6は本発明の対象であるガイド治具である。また、７はテーパ構造で入口側（光コネクタ清掃具を挿入する側）付近に設けられている。８はアダプタ４の貫通穴入口付近の内側に設けられた係止片である。
【００１１】
本発明による光コネクタ清掃具のガイド治具６は、内側には綿棒型清掃具5を貫通できる貫通穴を有する。この貫通穴は入口側の内径をスリーブ2の穴径より大きくし、さらにアダプタ４の内径より大きくし、スリーブホルダ３に至る途中でテーパー構造７にして内径を絞り込んでいる。これにより、綿棒型清掃具5の清掃機能を有する部分はフェルール1端面まであらかじめ清掃された本ガイド治具６の貫通穴の内壁に沿って挿入され、清浄な状態でスリーブ内に導かれ、かつ、綿棒型清掃具を本ガイド治具に挿入する際の位置決めを入口側の広い穴径の範囲で行うことができ、スリーブ内に確実に挿入することが可能になる。
【００１２】
また、本発明による光コネクタ清掃具のガイド治具６は、貫通穴の内径最小部分を、入口側と出口側の中間にしており、この中間位置からスリーブホルダ３の入口までは、綿棒型清掃具５が本ガイド治具６に接触せず、綿棒型清掃具５が本ガイド治具６の内側穴に接触する面積を極力小さくしている。
【００１３】
また、本発明による光コネクタ清掃具のガイド治具６は、出口側（入口側と反対側）において、アダプタ4の内側に装着できる外径寸法を有し、さらに、アダプタの係止片８が弾力性がある内壁に設けられ、また、ガイド治具６は、アダプタの係止片８に対応する外周部に小溝のようにワンタッチで装着できる係止構造を有するので、ワンタッチで着脱可能である。
【００１４】
なお、本実施形態は光コネクタプラグを接続する部品にアダプタを使用したが、レセプタクルを用いる場合も同様の構造を適用できる。
【００１５】
また、本実施形態では貫通穴の入口付近にテーパ構造を有し、外周には段付き構造を有する場合を説明したが、本発明の種々の実施形態の断面構造を示す図２（ａ）〜（ｃ）に記載したように、貫通穴の内部に段付き構造を有する場合、テーパ構造と段付き構造をミックスさせる場合があり、その他、外周にテーパ構造を有する場合等様々な形態をとることが可能である。
【００１６】
その他、本発明の趣旨を逸脱しない範囲で、種々の変更が可能であることはいうまでもない。
【００１７】
【発明の効果】
以上説明したように、本発明によるガイド冶具を用いれば、綿棒型清掃具が清浄な状態でスリーブ内に確実に導かれるという効果がある。
【図面の簡単な説明】
【図１】本発明の一実施形態の断面構造を示す図である。
【図２】本発明の種々の実施形態の断面構造を示す図である。
【符号の説明】
１  フェルール
２  スリーブ
３  スリーブホルダ
４  アダプタ
５  綿棒形清掃具
６  ガイド治具
７  テーパ構造
８  係止片
【図１】
0003690952.tif 000002
【図２】
0003690952.tif 000003